(57)【要約】  本発明は、シャフト式の医療用内視鏡（Ｅ）の遠位側ヘッド上に載置されるキャップアタッチメント（Ｋ）であって、近位側載置部（１）と遠位側組織クリップ保持部（２）とを有するキャップアタッチメント（Ｋ）を備える組織クリップ適用取付セットまたは後付セットに関する。前記キャップアタッチメント（Ｋ）の前記遠位側前方エッジ（１８）には、少なくとも二つの角度位置において、前記キャップアタッチメント（Ｋ）と軸心方向で交差する少なくとも二つのノッチ／スロット／溝２８がノッチ形成されている。前記後付セットに属するワーキングチャンネル（２４）は、前記中空チャンバ（Ｈ）内に入り、かつ、前記載置部（１）に対して遠位側で、かつ、前記径方向に支持された組織クリップ（２２）に対して近位側の、領域において、この中空チャンバ（Ｈ）から出る。前記中空チャンバ（Ｈ）内の第１の案内またはリード部材（３８’）は軸心方向に延出し、遠位方向から見て前記中空チャンバ（Ｈ）内へと径方向に傾斜し、且つ遠位方向から見て前記後付セットに属する前記ワーキングチャンネル（２４）の後に配置されている。前記中空チャンバ（Ｈ）内で、前記第１の案内またはリード部材（３８’）からの角距離をおいて、その延出において前記内視鏡に属するワーキングチャンネル（１０）へ向けられるように、対応の第２の案内またはリード部材（３８）が配置されている。
2020523177.tif 000002
【特許請求の範囲】
【請求項１】
シャフト式の医療用内視鏡（Ｅ）の遠位側ヘッド上に載置されるように構成され、そのために、遠位方向に開口した中空チャンバ（Ｈ）が内部に形成されている領域に、近位側載置部（１）と遠位側組織クリップ保持部（２）とを有するキャップアタッチメント（Ｋ）を備える組織クリップ適用取付セットまたは後付セットであって、前記中空チャンバ（Ｈ）は、前記キャップアタッチメント（Ｋ）の遠位側端部において、前記中空チャンバ（Ｈ）から前記キャップアタッチメント（Ｋ）の周面（２０）への遠位側移行部分に形成された周方向前方エッジ（１８）によって境界をつけられ、前記周面（２０）は外方に向けられ、且つ、前記周面（２０）上で組織クリップ（２２）が前記組織クリップ保持部（２）の領域において径方向に支持され、前記周方向前方エッジ（１８）は、軸心方向に延出するとともに、互いに対して特定の角距離で、好ましくは、前記前方エッジ（１８）において直径方向に形成または配置された、少なくとも二つのノッチ、溝、凹部またはオフセット（３６，３６’）を有する組織クリップ適用取付セットまたは後付セットにおいて、
前記中空チャンバ（Ｈ）内へと開口し、かつ、前記載置部（１）の遠位側かつ前記径方向に支持された組織クリップ（２２）の近位側の領域で径方向に前記中空チャンバ（Ｈ）から出て、前記内視鏡（Ｅ）へと長手方向に別途案内されることが可能な、前記後付セットに属するワーキングチャンネル（２４）と、
前記中空チャンバ（Ｈ）に配置された、もしくは、前記中空チャンバ（Ｈ）内において前記キャップアタッチメント（Ｋ）と好ましくは材料一体的に形成された第１の案内またはリード部材（３８’）であって、軸心方向に延出するとともに、前記遠位方向から見て、前記中空チャンバ（Ｈ）内へと径方向に傾斜し、かつ、前記遠位方向に前記後付セットに属する前記ワーキングチャンネル（２４）の後に配置され、それによって、前記後付セットに属する前記ワーキングチャンネル（２４）内へと案内される第１の医療器具が、前記第１の案内またはリード部材（３８’）において前記中空チャンバ（Ｈ）の方向に径方向に偏向される第１の案内またはリード部材（３８’）と、
前記中空チャンバ（Ｈ）内で前記第１の案内またはリード部材（３８）に対して好ましくは直径方向において角距離で配置され、かつ軸心方向に延出するとともに、前記遠位方向から見て、前記中空チャンバ（Ｈ）内へと径方向に傾斜している第２の案内またはリード部材（３８）であって、前記内視鏡に属するワーキングチャンネル（１０）まで延出して配向され、それによって、前記第１の医療器具に加えて前記内視鏡に属する前記ワーキングチャンネル（１０）に導入される第２の医療器具が当該第２の案内またはリード部材（３８）において前記中空チャンバ（Ｈ）の方向に径方向に偏向されるように設けられている第２の案内またはリード部材（３８）と、によって特徴付けられる組織クリップ適用取付セットまたは後付セット。
【請求項２】
前記後付セットに属する前記追加のワーキングチャンネル（２４）は、前記ノッチ、溝、凹部またはオフセット（３６，３６’）の一つの領域において、または、前記ノッチ、溝、凹部またはオフセット（３６，３６’）の一つに対して長手方向に開口している、請求項１に記載の組織クリップ適用取付セットまたは後付セット。
【請求項３】
前記少なくとも二つのノッチ、溝、凹部またはオフセット（３６，３６’）は、ＵまたＶ形状の構成である、請求項１または２に記載の組織クリップ適用取付セットまたは後付セット。
【請求項４】
前記キャップアタッチメント（Ｋ）は、前記載置部（１）を前記組織クリップ保持部（２）から分離する中央部分において、アタッチメント長手軸心に対してクランキングされるかまたは屈曲されて、０度よりも大きく９０度よりも小さい角度（α）を形成し、それによって、前記キャップアタッチメント（Ｋ）の少なくとも遠位側前方エッジ（１８）、好ましくは、前記中空チャンバ（Ｈ）が形成されている軸心方向領域、更に好ましくは、前記組織クリップ（２２）が径方向に支持されている前記組織クリップ保持部（２）の部分が、前記アタッチメント長手軸心に対して屈曲されている、請求項１から３のいずれか一項に記載の組織クリップ適用取付セットまたは後付セット。
【請求項５】
前記周方向前方エッジ（１８）は、前記組織クリップ（２２）が径方向に支持されている前記組織クリップ保持部（２）の部分の長手軸心に対して垂直に延出する平面に配設されている、請求項４に記載の組織クリップ適用取付セットまたは後付セット。
【請求項６】
前記組織クリップ（２２）が径方向に直接支持されている前記キャップアタッチメント（Ｋ）の前記周面（２０）には、前記中空チャンバ（Ｈ）を外向きの前記周面（２０）と接続する前記組織クリップ保持部（２）における径方向ボア（２６）に遠位側で隣接するとともに、前記組織クリップ（２２）に向けて軸心方向に延出する長手溝（３０）が形成されている、請求項１から５のいずれか一項に記載の組織クリップ適用取付セットまたは後付セット。
【請求項７】
引き抜きリング（３２）を有する引き抜き手段であって、前記引き抜きリング（３２）は、外向きでかつ前記組織クリップ（２２）の直近の前記周面（２０）上に軸心方向スライド可能に取り付けられるとともに、当該引き抜きリング（３２）に接続された引き糸（２８）を有し、前記引き糸（２８）は、前記長手溝（３０）において前記径方向ボア（２６）へと案内されるとともに、当該径方向ボア（２６）を貫通して前記中空チャンバ（Ｈ）に至り、かつ、そこから、患者の中空チャンバ（Ｈ）の外側に近位方向に案内されるように構成されている引き抜き手段、によって特徴付けられる請求項６に記載の組織クリップ適用取付セットまたは後付セット。
【請求項８】
前記案内またはリード部材（３８，３８’）の少なくとも一つは、前記医療器具の一つがその中で長手方向に案内されることが可能なようにシュートまたはチャンネルを形成している、請求項１から７のいずれか一項に記載の組織クリップ適用取付セットまたは後付セット。
【発明の詳細な説明】
【技術分野】
【０００１】
本発明は、組織クリップ適用取付／後付セット、詳しくは、請求項１の前提部による医療用内視鏡用のキャップアタッチメントに関する。
【背景技術】
【０００２】
内視鏡は、一般的に、患者の体内の中空チャンバの視覚的解析と場合によってはその操作のための医療用作業器具である。それらは、基本的には、患者に面する内視鏡の遠端部（内視鏡ヘッドとも呼ばれる）に設けられた光学装置と、近位側内視鏡部分（患者から離れて面する）（通常は患者の中空チャンバから外側に突出する）から、もしくは、体外の内視鏡グリップから、（近接する）フレキシブルなまたはリジッドな内視鏡シャフトを通って、内視鏡ヘッドへと延出して、鉗子、アンカー、ハサミ、ニードル、ループ、ナイフ、などの単数または複数の医療器具の体外導入及び供給を可能にする単数または複数のワーキングチャンネル、を有する。
【０００３】
そのような内視鏡は、オプションとして、更に、例えば、遠位側内視鏡端部／内視鏡ヘッドに、径方向外側から、キャップまたはスリープを、少なくとも前記光学装置を収納／含む内視鏡ヘッドに取り付けることによる追加機能も備え、前記キャップまたはスリープは、特定の機能部材を備えている。したがって、内視鏡は、その元々意図される、検査、および／または、最小侵襲的（医療）器具のためのアクセスとして使用可能であるだけでなく、それ自身、介入的または外科的プロセスを実行するための（最小侵襲的）器具としても使用することができる。
【０００４】
例えば、本出願人みずから（例えば、独国実用新案第２０２００８００７７７４号明細書（特許文献１））のような最新技術から、おそらくはシャフトタイプの一般に知られている内視鏡のヘッド（少なくとも一つの光学装置が配置された遠端部）に、径方向外側から載置可能で、その径方向（外側）周部に、患者の体内中空チャンバに導入可能な組織クリップをクランプ状態で保持しているそのようなキャップアタッチメントが知られている。例えば、プッシャーやピストンなどを介して、直接的または間接的に、前記組織クリップと協働し、遠位方向において前記キャップアタッチメントから前記組織キャップを引き抜くべく好ましくは内視鏡のグリップに対して前記体内中空チャンバの外側から操作可能な、引き糸（これは圧力ライン、押しワイヤ、その他類似の力伝達手段であってもよい）などのクリップ引き抜き手段が、前記内視鏡シャフトの外側から、または、当該内視鏡シャフトに形成されているワーキングチャンネル（それが設けられている場合）内から径方向外方に案内される。
【０００５】
この技術は、それを組織クリップ適用器具用にするための（標準式）内視鏡の取付／後付を可能にするものである。
【０００６】
内視鏡用のそのようなキャップアタッチメントを使い捨て製品として設計することの空間的制約と衛生上の必要性により、前記引っ張り糸または押しワイヤ／圧力ロッドが、組織クリップを引っ張るための力伝達手段として、その他の、オプションとして利用可能なアクチュエータ手段（油圧式、空気式、電動式）よりも、一般的に使用されている。それは、安価で案内や取り扱いが容易であり、キャップアタッチメントのジャケット表面上にクランプ状態で取り付けられた組織クリップを引き抜く／係合解除するために信頼性が高い。通常、前記引っ張り糸は、例えば、内視鏡シャフト内の前記ワーキングチャンネルを通して、あるいは、内視鏡シャフトの外部に取り付けられた／取り付け可能な追加のチャンネルを通して、前記近位側内視鏡端部へと案内され、外側方向において前記キャップアタッチメントの遠位側前方エッジから離間した径方向ボアを通って内視鏡の遠端部に到達し、その後、前記組織クリップ、または、当該組織クリップの真後ろに取り付けられたプッシャーおよび／またはプルオフリング、へと近位方向において戻し案内される。
【０００７】
ここで、前記（公知の）キャップアタッチメントは、少なくともその遠端部においては、内部が中空に構成されており、その結果、クランプすべき組織を、例えば、負圧（吸引圧）の上昇によって、または、ワーキングチャンネルを通して案内される器具（グリップ鉗子／フック／アンカー）によって、（部分的に）引っ張り込むことが可能であることが指摘される。したがって、組織クリップを遠位方向に変位させ、それをキャップアタッチメントから取り外すためには、前記糸を引っ張るだけでよい。これにより、そのクリップ内に蓄えられていた押し広げエネルギが解放されて、クリップがキャップアタッチメントに引き込まれた前記組織部分にクランプする。
【０００８】
前記キャップアタッチメント（適合式取り付けキャップ）は、衛生上の理由により、使い捨て式製品としてみなさなければならないので、その製造コストは可能な限り低く抑えられなければならない。したがって、現在の技術は、その製造のための処理工程が可能な限り少なく、可動部材の数が可能な限り少ない単純なキャップ形状を提供するものであるが、このことによって公知のキャップアタッチメントの利用性が制約される可能性がある。
【０００９】
特に、治療対象の患者の組織を正しく安全に捕捉し、操作することが困難であることが判っている。
【００１０】
過去において、キャップアタッチメントの断面が通常円形であることがもう一つの問題であることが判明している。キャップアタッチメントの円形断面形状の場合、特に、遠位方向において開口しているその内部キャビティの断面形状が円形である場合、クランプされるべき患者の組織が、キャップアタッチメント／そのキャビティに引き込まれ、この引き込まれた患者の組織が実質的に円形対称状に変形（圧縮）される。特に、メスまたは電気メスによる外科切開の場合、患者組織の組織切断部周りでの円形対称／円形変形はほとんど意味がない。というのは、通常、その外科的切断部をその切断長全体においてクランプするためにあまりにも多くの患者組織（組織切断部に沿った）を前記キャビティに引き込む必要があるからである。
【００１１】
この場合にはおそらく楕円形がより好ましいものであろうが、これは、製造することがより困難であり、円形断面形状を有する内視鏡とうまく接続することはできない。さらに、楕円形は、患者の中空チャンバに問題なく（損傷を与えることなく）導入するにはそれほど適していない。
【００１２】
最後に、キャップアタッチメントの周部外側にクランプ／取り付けられた組織クリップの適用は、患者の中空チャンバが狭い場合に特に困難である。
【００１３】
今日の医療用内視鏡は、通常、それらの各内視鏡シャフトの遠端部に屈曲部を有する。これは、場合によっては、適当な力伝達手段（ボーデンケーブル、油圧手段、など）によって患者の中空チャンバの外側から、例えば、近位方向においてそれに対して遠位側に接続された内視鏡ヘッドを回すべく、その端部において患者から突出している内視鏡シャフト（受動的折れ曲がり／フレキシブルまたはリジッドである）を介して能動的に屈曲／折れ曲げ可能な、曲げ−フレキシブル軸部分である。前記内視鏡ヘッドには光学手段が設けられているので、この光学手段を、これによって、積極的に側方に、あるいは、近位方向において後方にすら向けることができる。
【００１４】
もしも、前記屈曲部がシャフト長手軸心に対して積極的に屈曲されるならば、内視鏡ヘッドの遠位前方側を、例えば、患者の中空チャンバ壁（腸壁、食道壁、胃壁、など）に向けて回すことができる。しかしながら、もしも、上述したようなキャップアタッチメントを追加的に内視鏡ヘッドに取り付けるならば、その軸心方向長さは、人工的に遠位方向において疑似的に延長され、それによって、狭い中空チャンバにおいては、シャフトに属する前記屈曲部を積極的に屈曲させることはより問題となりうる。この点に関して、キャップアタッチメントを可能な限り短く構成することが有利であろうが、しかし、キャップアタッチメントに形成された前記キャビティはまだ、組織クリップの安全な適用を保証するべく、十分な患者の組織を受け入れ可能であることを遵守しなければならない。
【先行技術文献】
【特許文献】
【００１５】
【特許文献１】独国実用新案第２０２００８００７７７４号明細書
【発明の概要】
【発明が解決しようとする課題】
【００１６】
上述した諸問題に鑑みて、本発明の課題は、従来技術との比較における取り扱いの改善を特徴とする上記定義による包括的なキャップアタッチメントを提供することにある。
【００１７】
本発明の好適な課題は、前記キャップアタッチメントを、切断長さが比較的長い外科切開も、過剰な患者組織をキャップアタッチメントの椀形状キャビティに引き込む必要なく、組織クリップによってクランプ可能なものとして構成することにある。
【００１８】
更に、本発明の好適な課題は、キャップアタッチメントに保持された組織クリップの適用全体を容易にすることにある。
【００１９】
最後に、本発明の課題は、上述した課題を達成するために必要な前記包括的キャップアタッチメント中の前記構造的手段を、キャップアタッチメントを前記クリップ引き離し手段とともに、使い捨て式製品として経済的に有用に製造することを可能にするという基本的課題に沿ったものとすることにある。
【課題を解決するための手段】
【００２０】
上述した諸問題に鑑みて、本発明の課題は、従来技術との比較における取り扱いの改善を特徴とする上記定義による包括的なキャップアタッチメントを提供することにある。
【００２１】
本発明の好適な課題は、前記キャップアタッチメントを、切断長さが比較的長い外科切開も、過剰な患者組織をキャップアタッチメントの椀形状キャビティに引き込む必要なく、組織クリップによってクランプ可能なものとして構成することにある。
【００２２】
更に、本発明の好適な課題は、キャップアタッチメントに保持された組織クリップの適用全体を容易にすることにある。
【００２３】
最後に、本発明の課題は、上述した課題を達成するために必要な前記包括的キャップアタッチメント中の前記構造的手段を、キャップアタッチメントを前記クリップ引き離し手段とともに、使い捨て式製品として経済的に有用に製造することを可能にするという基本的課題に沿ったものとすることにある。
【００２４】
前記課題及びその他のオプションの課題は、請求項１の特徴構成を備える包括的（適合式）キャップアタッチメント（アタッチメントキャップ）によって解決される。本発明の有利な実施例が従属請求項の主題である。
【００２５】
本発明の要旨または態様は、好ましくは上記定義によるものであって、シャフト式の医療用内視鏡の内視鏡ヘッド（光学手段を含む）の、径方向外周上に（適応）配置されるように構成された（適合式）キャップアタッチメント（後付セットとして考えられる）に対して、内部キャビティからキャップアタッチメントの外向き周面／ジャケット表面への遠位側移行部に形成されたその遠位側周方向前方エッジにおいて、少なくとも一つの角度位置に、（軸心方向にキャップアタッチメントに交差する／長手方向に少なくとも一つのノッチ／スロット／溝を形成することにより）断面が例えばＶまたはＵ形状であり得るノッチを形成することにある。前記ノッチ、または、軸心方向延出凹部は、更に、前記遠位側前方エッジの特定の部分周部に渡って、例えば、当該遠位側前方エッジの全周の約１／４または１／３に渡って延出するものとすることができる。
【００２６】
このようにして形成された（軸心方向に凹んだ）ノッチ／凹部／ギャップは、シャープなエッジまたは丸みを帯びたエッジを有するものとすることができる。また、その上にクリップが載置される前記キャップアタッチメントの上述した外向き周面／ジャケット表面は、必ずしも、患者組織と接触する前記（実質的に筒状の）キャップアタッチメントの径方向最外方のジャケット表面である必要はなく、例えば、キャップアタッチメントの壁の環状ギャップによって形成されてもよく、あるいは、少なくともいくつかの部分において周方向で、別の筒状壁またはカバーによって包囲されてもよいことも指摘される。これらの後者の場合において、前記組織クリップは、近位方向において遠位側から前記環状ギャップに挿入され、前記径方向最外方壁部によって径方向外方にカバー／オーパラップされるであろう。
【００２７】
更に、上記態様による本発明において、少なくとも二つのノッチまたは、少なくとも二つの軸心方向延出凹部が、好ましくは、上述のノッチ／凹部の構造に対応するキャップアタッチメントの遠位側前方エッジに形成される。これら二つのノッチまたは軸心方向延出凹部は、互いに対する特定の角距離、好ましくは、互いに直径方向に対向して配置される。また、二つ以上のノッチ／軸心方向延出凹部を、前記キャップアタッチメントの遠位側前方エッジに設け、これらすべてが（実質的に）同じ断面形状であるか、もしくは、互い異なる構成とすることも可能である。また、前記ノッチの深さ（軸心方向からみて）は、互いに同じまたは異なるものとすることができる。最後に、前記ノッチベースは、前記遠位側前方エッジに対して平行または斜めに延出するものとすることができる。
【００２８】
いくつのノッチを設けるかにかかわらず、前記少なくとも二つのノッチによって、前記（筒状）キャップアタッチメントの前記内部キャビティ内への、クランプされる患者組織の引き込みが引き起こされ、たとえ、（たとえば前記キャップアタッチメントが円筒状であるため）前記遠位側前方エッジが円形であったとしても、当該組織は円形状から逸脱し、かつ、例えば、楕円形状または鎌形状である。
【００２９】
換言すると、前記キャップアタッチメントが患者組織上においてその遠位側前方エッジ（二次元的／円形状）に載置され、キャップアタッチメントによって包囲（二次元的）された組織が負圧によって、または機械的に（たとえば、把持鉗子によって）キャップアタッチメントの内部キャビティ内に引き込まれると、当該組織は、（引き込み中に）たとえは、前記少なくとも一つのノッチによって、楕円状に（すなわち、円形状から逸脱して）変形する。これにより、切開（長手切断部）周囲の組織を、例えば、過剰組織を最小にした状態で、（前記切断部と共に）前記キャビティ内に引き込み、安全にクランプすることができる。
【００３０】
独立的に、あるいは、上記態様、おそらくは、そのさらなる発展構成との組み合わせで権利請求される、本発明の別の好適態様によれば、前記キャップアタッチメントは、完全に円筒状（または直線状）ではなく、中央部分において（取り付け長手方向において取り付け長手軸心に対して９０度未満の角度、例えば、５度ないし１５度、の角度を形成することによって）屈曲されており、それによって、（上記定義による）前記キャップアタッチメントの少なくとも遠位側前方エッジ、好ましくは前記内部キャビティが形成される前記軸方向部分、更に好ましくは、組織クリップがクランプ／取り付けられる前記軸心方向部分が、前記取り付け長手軸心に対して屈曲される（ここで、この場合、遠位側前方エッジは前記屈曲部に対して垂直な平面に位置する）。組織クリップを適用するためには、それ自身は内視鏡ヘッドに対して、したがって、キャップアタッチメントに対して近位側に配置される前記内視鏡側の積極的に屈曲された部分を、当該キャップアタッチメントの遠位側前方エッジを患者の中空チャンバの治療対象壁に向けて回すためには遥かに少なく屈曲しなければならない。
【００３１】
本発明の別の態様によれば、前記キャップアタッチメント内に長手チャンネルが配置され、好ましくは、これは、前記キャップアタッチメントと一体に形成されるか、もしくは、当該キャップアタッチメントに対して強固に接続され、その後、内視鏡シャフトの外側において内視鏡シャフトに沿って延出する（好ましくは、内視鏡シャフト上においてクリップまたはバンドによって仮り保持される）べく、組織クリップまたはその引き抜き方向の近位の、キャップアタッチメントのジャケット側において側方にすなわち径方向に突出するように構成されている。この長手チャンネルを通して、例えば、把持鉗子などの外科器具を内部キャビティに進行させるか、もしくは、当該長手チャンネルを通して内部中空チャンバ（内部キャビティ）内で（大気圧に対して）負圧を発生させることができる。
【００３２】
これによって、前記（標準）内視鏡の前記少なくとも一つのワーキングチャンネルと、（内視鏡ワーキングチャンネルとは別の）前記キャップアタッチメントの追加のもう一つのワーキングチャンネルとの両方を通して、例えば、患者組織のグリップまたは保持のための、各医療器具を、キャップアタッチメントの前記内部キャビティ内に導入し、それによって、治療対象の患者組織を、互いに離間した二つの把持ポイントにおいて同時に、前記内部キャビティへと引き込むことが可能となる。好ましくは、前記キャップアタッチメントに属する前記追加のワーキングチャンネルは、前記少なくとも一つのノッチの領域において、あるいは、その長手方向において開口し、これにより、患者の組織を、前記軸心方向に延出する前記少なくとも一つのノッチおよび／または凹部を介してキャップアタッチメントの内部中空チャンバへと安全に引き込むことができる。
【００３３】
本発明の更に別の態様によれば、本発明による前記キャップアタッチメントは、好ましくはランプ形状のデフレクタ、またはデフレクタ部材を備え、これは、好ましくは、キャップアタッチメントの前記内部中空チャンバに一体形成され、軸心方向に延出している。前記デフレクタ、またはデフレクタ部材は、遠位側方向から見て、更に、径方向内方に向けられている。更に、デフレクタまたはデフレクタ部材の中で、例えば、医療器具を長手方向に案内可能な一種のシュートまたはチャンネルを形成することができる。
【００３４】
前記キャップアタッチメントが内視鏡の遠端部（すなわち、内視鏡ヘッド）に載置されると、このキャップアタッチメントを、前記デフレクタ、またはデフレクタ部材が軸心方向において前記内視鏡内部ワーキングチャンネルの開口部に向けられる（そして、内視鏡に属するワーキングチャンネルの延出部を疑似的に形成する）まで、前記内視鏡ヘッド上で回転させることが可能である。もしも、医療器具が内視鏡のワーキングチャンネルを通してキャップアタッチメントの前記内部中空チャンバ内へと進行されると、その医療器具の遠端部がキャップに属する前記デフレクタから中空チャンバの中心へ（軽い）案内作用を受ける。したがって、患者組織をより中心でグリップすることができ、アタッチメントキャップの内部中空チャンバ内へとより良好にかつ安全に引き込むことができる。
【００３５】
好ましくは、前記キャップ内部の追加のワーキングチャンネルも、軸心方向から見て前記中空チャンバの中心に向けて傾斜している。
【００３６】
本発明の更に別の態様によれば、上述した構成と機能を有する別のデフレクタおよび／またはデフレクタ部材が前記キャップ内部追加ワーキングチャンネルの開口部に対して遠位側に構成／配置されている。
【００３７】
更に（特に、屈曲キャップアタッチメントの場合）、別の光学部材、例えばミラーなどを前記内視鏡ヘッドおよび／またはその光学装置から前記アタッチメントの遠位側前方エッジへの方向の視界を拡大するべく、前記キャップアタッチメントの内壁に配置または構成することができ、および／または、前記キャップアタッチメントは、前記屈曲によって遠位方向の視界が妨げられないように、あるいは、わずかにのみ妨げられるように、少なくとも部分的に、透明材から形成される。最後に、しかしながら、前記キャップアタッチメントにそれ自身の光学装置（標準として利用可能な内視鏡用光学装置とは別に、または、それに対して追加的に）を装備することも可能である。基本的に、内視鏡の少なくとも照明を更に使用するこができ、ここで、もちろん、キャップアタッチメントに、内視鏡内部照明に加えてそれ自身の光源を備えさせることも可能であり、それによって、本発明による前記キャップアタッチメントは、（標準式）内視鏡の装備からもっぱら独立的に使用することが可能となる。
【００３８】
この場合、従来技術、特に、同様に本出願人の技術から、器具のヘッドの遠位前方側を患者の中空チャンバの壁に向けて回すために、その（リジッドな）器具シャフトが、器具のヘッド（遠位器具端部）の直前で一度またはＳ字状に屈曲された適用器具（光学装置を有さず、したがって、前記一般定義による内視鏡を構成しない）が知られていることが指摘される。しかし、この場合、屈曲される（これは積極的に操作可能な屈曲部によって達成可能）のは、内視鏡ヘッドおよび／またはこの内視鏡ヘッドの直前（内視鏡ヘッドに近接）のシャフトではない。むしろ、（遠位方向において）内視鏡ヘッドの後に軸心方向に配置される、前記クリップを備えるキャップアタッチメントと、そこに収納されるその光学装置を、好ましくは、屈曲させることができる。具体的には、前記キャップアタッチメントの曲げは、遠位方向においてキャップアタッチメントの取り付け／配置部分（弾性ブッシュ）から遠位側に離間している軸心方向領域において行われる。
【００３９】
したがって、内視鏡シャフトは、内視鏡ヘッド、したがって、キャップアタッチメントの、直前に配置された前記屈曲部の領域、においては、組織クリップの正確な適用を可能にするべく、積極的に、わずかに屈曲させるだけでよい（または全く曲げなくてもよい）。
【００４０】
最後に、上述した態様（及び、それらの有利な追加的発展構成）は、必要な場合、所望に、互いに組み合わせることが可能であると再度指摘される。
【００４１】
したがって、例えば、前記少なくとも一つの前方ノッチ、または、周方向に離間した複数のノッチは、従来式円筒状（直線状）キャップアタッチメントだけでなく、曲がりキャップアタッチメントも備えることが可能である。また、前記少なくとも一つのノッチの形状は、特定の形状に限定されるものではなく、例えば、矩形、三角形、台形、ピッチ円形、などといった任意の形状を有することが可能である。キャップアタッチメントの前端部にスパイク形状または波形状を設けることも可能である。
【００４２】
前記屈曲は、９０度未満、好ましくは、５度ないし１５度の角度範囲のものとすることができる。
【００４３】
前記キャップアタッチメントは、そのジャケット側において、組織クリップを支持するように構成される。追加的には、但し、前記キャップアタッチメントに、例えば、レーダまたは電気切断ループなどの形態の、それ自身の組織切断装置を備えることも可能であり、これは、前記内部キャビティの内面上に保持／案内されて、前記内視鏡シャフト、好ましくは、そのワーキングチャンネルにおいて案内される導体素線を介して動力供給／作動、可能である。
【００４４】
最後に、前記キャップアタッチメントは、更に、当該キャップアタッチメントに（好ましくは材料的に一体）強固に接続され、かつ、ジャケット表面へと引き込まれる前記組織クリップを（少なくとも部分的に）径方向に包囲する、一種のスリーブリテーナ、を備えて構成することができる。
【００４５】
好ましくは、（前記組織クリップが直接載置される）前記キャップアタッチメントの外向きの前記周面／ジャケット表面は、外側に向く前記周面／ジャケット表面の径方向ボアから出る引き糸を軸心方向／長手方向に案内するために設けられる、引き糸を案内する径方向ボアまで軸心方向に延出する長手溝を備えたものとすることができる。このように構成することにより、前記引き糸は、前記キャップアタッチメントの前記ジャケット表面の領域において、概略的に、キャップ壁内へと沈みこみ、これにより、その引き抜き移動中に、組織クリップによって邪魔されることなく横断することが可能となる。
【００４６】
以上の簡単な説明から理解されるように、本発明の成功、すなわち、組織クリップの最適化された適用のための、キャップアタッチメント内に引き込まれる組織の特定の変形、のためには、前記キャップアタッチメントが、その遠位側キャップ端部に、少なくとも二つの好ましくは径方向に対向配置されたノッチまたは（長手）スロット、を備え、前記キャップアタッチメントが、好ましくは、当該キャップアタッチメントの周部エッジ領域において、引き込まれる組織を受け入れるために前記キャップアタッチメントによって形成された中空チャンバ内へと延出するそれ自身のワーキングチャンネルを備えて構成されることが重要である。更に、前記キャップアタッチメントに属する前記ワーキングチャンネルのオリフィス領域の下流側に共に位置する前記二つのノッチと平行して、そして、好ましくは、径方向に対向して、デフレクタまたはランプ（ウェッジ）が形成され、当該デフレクタまたはランプは、前記キャップアタッチメントに属する前記ワーキングチャンネルを通して導入された医療用把持器具と、更に、内視鏡のワーキングチャンネルを通して同時に導入される医療用把持器具、を径方向内方に偏向させ、これにより、これら二つの同時に導入された医療用把持器具が互いに干渉しあうことがないように構成される。
【００４７】
これらの手段の組み合わせることにより、前記ノッチを通して引き込まれた、これらノッチの間近において前記両把持器具によって把持される組織を意図されるように変形させることが達成される。
【図面の簡単な説明】
【００４８】
【図１】好ましくは一般的に知られている内視鏡の内視鏡ヘッドへの取り付け準備状態にある、本発明の第１好適実施例によるキャップアタッチメントを図示している
【図２】別の前方エッジ形状を備える、本発明による前記キャップアタッチメントの遠位側端部を図示している
【図３】図１の前記好ましくは一般的に知られている内視鏡の内視鏡ヘッドへの取り付け準備状態にある、本発明の第２好適実施例によるキャップアタッチメントを図示している
【図４】前記第１好適実施例による、組織クリップ適用取付セットまたは後付セットの二つの使用例ａ）とｂ）を図示している
【発明を実施するための形態】
【００４９】
以下、添付の図面を参照して好適実施例により、本発明を詳細に説明する。図１に概略図示された組織クリップ適用取付セットまたは後付セットは、実質的に、近位側の載置部１と、遠位側の組織クリップ保持部２とを有するキャップアタッチメントＫを有する、または、そのアタッチメントから構成される。
【００５０】
前記載置部１は、フレキシブルで好ましくは弾性材のブッシュまたはカラーとして構成される。ただし、代替的に、前記載置部１を、（例えば、少なくとも一つの長手スロットあるいは、所定の元来のフレキシビリティによって）径方向に拡張可能なプラスチックスリーブから構成することも可能である。前記載置部１は、その外側において好ましくは公知の構成の（市販の）内視鏡の遠端部に載置されるように準備されている。
【００５１】
通常、そのような内視鏡Ｅは、（曲げフレキシブルまたはリジッドな）内視鏡シャフト４を有し、その遠端部には、少なくとも一つの光学装置６と一つの照明装置８が設置されている。更に、公知構造の内視鏡Ｅは、多くの場合、内部ワーキングチャンネル１０を備え、これを通して、医療器具を例えば患者の中空器官内に導入することができる。最後に、前記内視鏡Ｅの遠端部にはすすぎ装置１２を設けることができ、これにより、前記光学装置６を洗浄することができる。以下の説明において、その中に少なくとも前記光学装置６が収納された前記内視鏡Ｅの遠端部を内視鏡ヘッド１４と称する。必要に応じて、前記光学装置６を側方または近位方向にさえ向けるために作業者によって積極的に屈曲させることが可能な内視鏡シャフト部分を、前記内視鏡ヘッド１４の近位側手前に配置することができる。この部分を以下の説明において内視鏡Ｅの屈曲部１６と称する。
【００５２】
本発明による前記キャップアタッチメントＫの前記載置部１は、疑似的に、前記内視鏡ヘッド１４の軸心方向延出部、および／または、前記内視鏡シャフト４の遠端部、を形成するべく、上記定義による内視鏡ヘッド１４上に載置される（前記内視鏡ワーキングチャンネル６に導入されない）。これにより内視鏡に属する前記ワーキングチャンネル６は、医療器具の導入のために開放状態にとどまる。
【００５３】
前記組織クリップ保持部２は、好ましくは、前記載置部１よりもリジッドで、かつ、当該載置部１に対して一体的、好ましくは材料一体的に延出接続されるか、もしくは、この載置部１に対して接着または溶接によって接続される、（中空の）プラスチックスリープからなる。前記組織クリップ保持部２はキャビティまたは中空チャンバＨを内側に形成し、キャビティまたは中空チャンバＨは、患者組織を一時的に受け入れるものであり、組織クリップ保持部２の遠位端で、遠位側前方エッジ１８を形成することによって、組織クリップ２２が（クランプ状態において）軸心方向移動可能に取り付けられる径方向外方ジャケット表面２０へと移行する。
【００５４】
前記キャップアタッチメントＫ内に、ワーキングチャンネル２４が配置または形成され、これは、前記キャップアタッチメントＫと（材料的に）一体形成されるか、または、当該キャップアタッチメントＫに強固に接続され、遠位方向において前記内部キャビティ／中空チャンバＨ内へと延出している。（内視鏡に属する前記ワーキングチャンネル１０とは別の）前記キャップアタッチメントに属する前記ワーキングチャンネル２４は、好ましくは、前記載置部１の領域において、あるいは、その遠位側で、前記キャップアタッチメントＫの外側に径方向に案内され、その後、前記内視鏡シャフト１の予想される長さ（約２ｍ）に少なくとも対応する所定の長さにわたって延出し、これにより、（内視鏡の通常の利用可能なチャンネルとは別の）前記キャップアタッチメントＫの前記ワーキングチャンネル２４内への最小侵襲性医療器具の体外導入が可能とされている。
【００５５】
前記キャップアタッチメントＫの遠位端領域に、径方向ボア２６が形成され、径方向ボア２６は、前記内部中空チャンバＨを前記ジャケット表面に接続し、かつ、径方向ボア２６を通して、引き糸２８が案内される。前記組織クリップ２２を径方向に支持する前記組織クリップ保持部２の前記ジャケット表面／周面において、図１に図示されているように、外側に向けて開放されるとともに、軸心方向において前記径方向ボア２８に接近する軸心方向溝３０が形成される。最後に、前記組織クリップ２２を径方向に支持する前記組織クリップ保持部２の前記ジャケット表面／周面に、引き抜きリング／スライドリング３２を備える引き抜き装置が取り付けられ、引き抜き装置は、前記組織クリップ２２の近位側間近に位置し、引き抜き装置には、前記引き糸２８が、体外的に行われる、前記スライドリング３２の遠位方向での好ましくは手動移動のために接続される。
【００５６】
この目的のために、前記引き糸２８は、まず、前記軸心方向溝３０を通って遠位方向に、前記径方向ボア２６内へと案内され、当該径方向ボア２６内で偏向され、最後に、例えば、前記キャップアタッチメントＫの前記ワーキングチャンネル２４を通って、あるいは、前記内視鏡Ｅの前記ワーキングチャンネル１０を通って、あるいは、近位方向において更に別のチャンネルを通って、内視鏡Ｅの体外近位端部へと案内される。
【００５７】
最後に図１に破線によって図示されているように、前記組織クリップを支持している前記キャップアタッチメントＫの周表面を、追加的に、前記組織クリップ２２を少なくとも部分的に径方向外方にカバーするスリーブまたは軸心方向延出舌３４と重ねてもよい。
【００５８】
本発明の前記第１好適実施例によれば、前記遠位前方エッジ１８は、軸心方向に延出する少なくとも一つのノッチおよび／または第１オフセット３６を有する。図１に開示されているように、前記組織クリップ保持部２の前記遠位前方エッジ１８には、好ましくは、径方向に対向配置される、二つのノッチ／オフセット３６，３６’を形成することも可能である。ただし、それは、互いに対してそれ以外の角距離で配置することも可能である。更に、前記二つのノッチは、好ましくは、同じ形状および寸法を有する。二つ以上のノッチを設けることも可能である。
【００５９】
最後に、前記キャップアタッチメントＫは、その前記中空チャンバＨ内に、軸心方向においてそして遠位方向から見て径方向内方に延出する少なくとも一種類の案内部材（ランプ）３８を含む。当該案内またはリード部材３８は、その中で例えば、医療器具を長手方向に案内することが可能な、長手溝またはシュート（破線で示されている）を備えている。本発明による前記キャップアタッチメントＫを前記内視鏡ヘッドに正しく取り付けると、前記案内部材３８は、前記内視鏡Ｅの前記ワーキングチャンネル１０への軸心方向延出部を形成する。
【００６０】
前記キャップアタッチメント内ワーキングチャンネル２４は、更に、遠位方向からみて径方向内方に傾斜させることも可能であり、および／または、前記キャップアタッチメントに属する前記ワーキングチャンネル２４の遠位側下流側に別の案内部材（ランプ）３８’が配置され、この案内部材は軸心方向に延出し、それと同時に、径方向内方に前記中空チャンバ内に向けて傾斜している。最後に、各案内部材３８，３８’を、長手溝またはシュートを備えて構成することが可能である。
【００６１】
図１の組織クリップ適用取付セットまたは後付セットの機能は以下のように記載することができる。
【００６２】
第一に、本発明の前記キャップアタッチメントＫを、その外周側で前記（一般的に公知の）内視鏡Ｅのヘッド１４上に置く。軸心方向において取り付けを正確にするために、内視鏡ヘッド１４の遠位前方側に載置される内側軸方向ストップ、例えば、径方向内方に向けられた周方向環状突起またはピニオン（図示せず）を、前記載置部１と前記組織クリップ保持部２との間に設けることができる。更に、前記少なくとも一つの案内部材３８が、軸心方向において、それ自身、内視鏡に属する前記ワーキングチャンネル１０の出口開口部に向くまで、内視鏡ヘッド１４上で前記キャップアタッチメントＫを回転させる。
【００６３】
前記アタッチメントに属する前記ワーキングチャンネル２４は、この例においては、前記載置部１４の領域において、または、それに対して直接遠位側で、前記アタッチメントＫの前記中空チャンバＨから径方向外方に案内され、外部では前記（概して公知の）前記内視鏡Ｅの前記好ましくはフレキシブルな内視鏡シャフト４，１６に沿って、近位方向において、治療対象の患者の中空器官の外側へと延出する。
【００６４】
図１に見られるように、前記内視鏡Ｅは、前記ヘッド１４と前記シャフト４との間に上述した屈曲部１６（屈曲ユニットとも称する）を有し、これは、必要に応じて、前記患者の中空チャンバ／中空器官の外側から（矢印Ａの方向で）屈曲させることができる。このようにして、前記内視鏡ヘッド１４は、その上に載置された前記キャップアタッチメントＫと共に、中空器官壁に面するように向けることができる。
【００６５】
前記キャップアタッチメントＫが、前方側において、すなわち、その遠位前方エッジ１８（これは丸みを帯びたものにできる）によって、患者の中空器官壁の組織に押し付けられるやいなや、この患者の組織を、キャップアタッチメントＫの前記内部キャビティ内に引き込むことができる。これは、前記キャビティ内において、そして、例えば、前記アタッチメントに属する前記ワーキングチャンネル２４を通して発生する負圧によって、および／または、前記アタッチメントに属する前記ワーキングチャンネル２４を通して導入された器具２４（鉗子、フック、組織アンカー、など）によって、行われる。更に、治療対象の患者組織を二つの離間した位置で捕捉して、それをキャップ側の中空チャンバＨ内に引き込むべく、内視鏡に属する前記ワーキングチャンネル１０を通して、前記キャップアタッチメントＫの前記中空チャンバＨ内に別の医療器具を導入することができる。
【００６６】
前記医療用器具（単数または複数）の前記中空チャンバＨへの導入中に、それらは前記ランプ３８，３８’および／またはそれらの長手溝でスライドし、それによって中空チャンバＨ内へと径方向内方に押し込まれる。これにより、患者組織は、より良好に捕捉される。患者組織の前記中空チャンバＨへの引き込み中、それは、また、前記少なくとも一つのノッチ３６，３６’を通して引かれ、この過程において変形される。特に、例えば、互いに径方向に対向配置される、キャップアタッチメントＫの前記遠位前方エッジ１８の領域において少なくとも一つのノッチ、またはより有利には二つのノッチ３６，３６’を設ける構成の場合、患者組織は前記キャビティＨ内へと円形対称に引き込まれず、むしろ楕円状に引き込まれることが判った。したがって、例えば、十分な量の組織を、問題なく、組織切断部に沿ってアタッチメントキャップ内へと引き込むことが可能である。
【００６７】
十分な組織が前記キャビティＨに引き込まれるやいなや、前記組織クリップ       ２２を、例えば、前記引き糸２８によって、前記前方エッジ１８上で（矢印Ｂに沿って）遠位方向に引きはがし、その後、前記組織クリップ２２が患者組織をクランプする。このプロセスにおいて、前記組織クリップ１８は、前記引き糸２８上で、但し、引き糸２８が前記軸心方向溝３０に埋め込まれているので、引き糸２８に干渉することなく、恒久的（ｐｅｒｍａｎｅｎｔｌｙ）に移動する。
【００６８】
図２には、図１の実施例の変形が図示されている。
【００６９】
この場合、本発明による前記キャップアタッチメントＫの前記遠位前方エッジ１８に、二つより多いノッチ３６が形成され、それらのうちの少なくとも二つのノッチは、例えば、互いに対して実質的に直径方向（必ずしも厳密である必要はない）に配置されている。この変形のその他すべての特徴構成は、図１の第１実施例のそれらに対応する。
【００７０】
図３は、本発明の第２実施例を図示している。以下の説明において、この第２実施例が本発明の前記第１実施例と異なる特徴構成のみを詳細に説明する。第２実施例のキャップアタッチメントＫも、当該キャップアタッチメントの前方エッジ１８に遠位側ノッチ３６を備え、かつ上述した説明に対応する長手溝３０を備えて構成され、ここで、これらの特徴構成は、当該第２実施例における単なるオプション特徴構成として理解されなければならないことが指摘される。更に、第１実施例のものと類似の案内部材も設けることができる。
【００７１】
前記第１実施例と異なり、第２実施例のキャップアタッチメントＫは、直線状円筒状ではなく、屈曲している。換言すると、当該キャップアタッチメントＫは、好ましくは前記載置部１を前記クリップ保持部２から分離する中央部分において、キンク位置／キンクエッジ４０を有し、ここで、当該キャップアタッチメントＫは、アタッチメント長手軸心に対して角度を有して偏向／屈折されている。すなわち、キャップアタッチメントＫは、前記アタッチメント長手軸心から、好ましくは９０度未満、より好ましくは、５度ないし１５度の角度αで偏向している。前記屈曲位置４０は、例えば、前記内部キャビティＨの近位側、すなわち、例えば、前記引き抜きリング／スライドリング３２に対して近位側である。
【００７２】
図３においてそのヘッド１４上に前記キャップアタッチメントＫが載置される前記内視鏡Ｈが機能することを引き続き保証するために、この場合、前記クランキング角αは、好ましくは、前記内視鏡に属する前記光学装置６とその照明８の視野／視野の方向が、アタッチメントに属する前記キャビティの開口部のみを検出可能となるように選択される。更に、内視鏡光学装置のクリーニングなどの内視鏡の内部機能は影響を受けない。あるいは、または追加的に、前記キャップアタッチメントＫは、透明材で製造される、および／または、前記キャビティの開口の方向に、内視鏡に属する前記光学装置とおそらくはその照明の、視野／視野の方向を偏向／移す手段（図示せず）がキャップアタッチメント内に設けられる。あるいは、または、追加的に、前記アタッチメントＫは、それ自身の光学装置（図示せず）を備えることも可能である。
【００７３】
本発明は、要するに、シャフト式の医療用内視鏡の遠位側ヘッド上に載置され、そのために、近位側載置部と遠位側クリップ保持部とを備えて構成されるキャップアタッチメントを有する組織クリップ適用取付セットまたは後付セットに関する。本発明によれば、前記キャップアタッチメントは、前記載置部を前記保持部から分離するその中央部分において、アタッチメント長手軸心に対して、０度よりも大きい角度αを形成することによって、屈曲させることができる。更に、前記キャップアタッチメントの遠位側前方エッジを、少なくとも一つの角度位置においてノッチング（ノッチ形成）することによって、軸心方向において前記キャップアタッチメントに交差する少なくとも一つのノッチ／スロット／溝２８を形成する。
【００７４】
図４は、本発明の背後にある問題の一つを例示するべく、前記第１好適実施例による組織クリップ適用取付セットまたは後付セットの使用の二つの例を図示している。その問題とは、互いに分離されている、二つの組織層Ｇ１または組織ひだＧ２を、組織に対するダメージを最小限にしながら、安全に捕捉しクランプすることにあり、ここで、前記組織ひだＧ２を、まず第１に、前記組織クリップ適用取付セットまたは後付セットによって作り出さなければならない。これは、特に、従来技術の図示したシステムでは不可能または不十分にしか可能でない。
【００７５】
図４ａ（左側）は、吻合不全および／または組織穿孔の治療中の本発明による前記組織クリップ適用取付セットまたは後付セットの使用を図示している。互いから分離している二つ以上の組織層Ｇ１をそれぞれ別々に捕捉し、その後、それらを互いに接続／適合させければならず、それが前記キャップアタッチメントＫの中空チャンバＨ内に引き込まれる時に、それらは、この過程で折り畳まれ、最終的に組織クリップ２は、それらを互いにクランプするべくそれら上にはがされる。
【００７６】
前記組織層Ｇ１を別々に捕捉することを可能にするためには、二つの別々の外科器具１１，１２（例えば、グリッパまたは吸引チューブ）を同時に、患者組織Ｈに向けて前記中空チャンバを通して進行させる必要がある。この目的のために、二つの医療器具１１，１２を互いに別々に導入して操作することを可能にするには、二つのワーキングチャンネル１０，２４は必ず必要である。更に、両医療器具１１，１２を、そのそれぞれが、これら器具１１，１２が互いに離間したポイントにおいて前記組織層Ｇ１を正確にグリップできるところに、前記案内部材／ランプ３８，３８’によって、向けられた状態でそれぞれ進行されるべく、内方に偏位されなければならない。その後、前記組織層Ｇ１を、前記両器具１１，１２を引っ張り戻すことによって前記キャップアタッチメントＫの中空チャンバＨ内に引き込む。前記ワーキングチャンネル１０，２４、案内部材／ランプ３８，３８’、およびノッチ／オフセット３６，３６’は、遠位方向において互いに軸心方向に向けられ、かつ／または、前記組織クリップ保持部２の長手軸心を通って延出する平面に位置しているので、前記個々の組織層Ｇ１は、この過程で前記ノッチ／オフセット３６，３６’に載置され、それによって組織が折り畳まれる。次に、前記組織クリップ２２を前記組織クリップ保持部２から引きはがし、これによって、組織が接続／クランプされる。
【００７７】
図４ｂ）（右側）は、中空器官の狭窄、例えば、スリーブ状胃切除術のケースにおける本発明による前記組織クリップ適用取付セットまたは後付セットの使用を図示している。この目的のために、まず、二つの別々の組織ひだＧ２を作り出す必要がある。手順は、図４ａ）によって上述した組織処理に実質的に対応する。前記二つの別々の組織ひだＧ２を作り出すためには、前記両器具１１，１２の誘導された進行と、これら器具の前記案内部材／ランプ３８，３８’上での偏向とが、互いから分離するとともに、更に、前記器具１１，１２が組織をグリップしてそれを前記中空チャンバＨに引き込む時に、二つの別々の組織ひだＧ２が形成されるのに十分に互いに離間した二つの組織ポイントをグリップすることができることが重要である。組織はノッチ／オフセット３６，３６‘を通して折り畳まれる。これによって作られた組織ひだＧ２は、それぞれ上下に重ねられ、前記組織クリップ２２を引きはがすことによって互いにクランプされる。これにより、比較的大量の組織を減らすことができ、それによって、前記中空器官を、少数のクランプ処理だけで確実に狭窄することが可能となる。
【００７８】
もしも組織が、単一の組織ポイントのみ、または、互いに非常に近い二つの組織ポイントで捕捉されるならば、二つの別々の組織ひだＧ２を作り出しクランプすること、または、互いから分離した二つの組織層Ｇ１をいっしょにクランプすることは不可能であろう。
【図１】
2020523177.tif 000003
【図２】
2020523177.tif 000004
【図３】
2020523177.tif 000005
【図４ａ）】
2020523177.tif 000006
【図４ｂ）】
2020523177.tif 000007
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
シャフト式の医療用内視鏡の遠位側ヘッド上に載置されるように構成され、そのために、遠位方向に開口した中空チャンバが内部に形成されている領域に、近位側載置部と遠位側組織クリップ保持部とを有するキャップアタッチメントを備える組織クリップ適用取付セットまたは後付セットであって、前記中空チャンバは、前記キャップアタッチメントの遠位側端部において、前記中空チャンバから前記キャップアタッチメントの周面への遠位側移行部分に形成された周方向前方エッジによって境界をつけられ、前記周面は外方に向けられ、且つ、前記周面上で組織クリップが前記組織クリップ保持部の領域において径方向に支持され、前記周方向前方エッジは、軸心方向に延出するとともに、互いに対して特定の角距離で形成または配置された、少なくとも二つのノッチ、溝、凹部またはオフセットを有する組織クリップ適用取付セットまたは後付セットにおいて、
前記中空チャンバ内へと開口し、かつ、前記載置部の遠位側かつ前記径方向に支持された組織クリップの近位側の領域で径方向に前記中空チャンバから出て、前記内視鏡へと長手方向に別途案内されることが可能な、前記後付セットに属するワーキングチャンネルと、
前記中空チャンバ内に配置された、もしくは、前記中空チャンバ内において前記キャップアタッチメントと形成された第１の案内またはリード部材であって、軸心方向に延出するとともに、前記遠位方向から見て、前記中空チャンバ内へと径方向に傾斜し、かつ、前記遠位方向に前記後付セットに属する前記ワーキングチャンネルの後に配置され、それによって、前記後付セットに属する前記ワーキングチャンネル内へと案内される第１の医療器具が、前記第１の案内またはリード部材において前記中空チャンバの方向に径方向に偏向される第１の案内またはリード部材と、
前記中空チャンバ内で前記第１の案内またはリード部材に対して角距離で配置され、かつ軸心方向に延出するとともに、前記遠位方向から見て、前記中空チャンバ内へと径方向に傾斜している第２の案内またはリード部材であって、前記内視鏡に属するワーキングチャンネルまで延出して配向され、それによって、前記第１の医療器具に加えて前記内視鏡に属する前記ワーキングチャンネルに導入される第２の医療器具が当該第２の案内またはリード部材において前記中空チャンバの方向に径方向に偏向されるように設けられている第２の案内またはリード部材と、によって特徴付けられる組織クリップ適用取付セットまたは後付セット。
【請求項２】
前記後付セットに属する前記追加のワーキングチャンネルは、前記ノッチ、溝、凹部またはオフセットの一つの領域において、または、前記ノッチ、溝、凹部またはオフセットの一つに対して長手方向に開口している、請求項１に記載の組織クリップ適用取付セットまたは後付セット。
【請求項３】
前記少なくとも二つのノッチ、溝、凹部またはオフセットは、ＵまたＶ形状の構成である、請求項１または２に記載の組織クリップ適用取付セットまたは後付セット。
【請求項４】
前記キャップアタッチメントは、前記載置部を前記組織クリップ保持部から分離する中央部分において、アタッチメント長手軸心に対してクランキングされるかまたは屈曲されて、０度よりも大きく９０度よりも小さい角度を形成し、それによって、前記キャップアタッチメントの少なくとも遠位側前方エッジが、前記アタッチメント長手軸心に対して屈曲されている、請求項１から３のいずれか一項に記載の組織クリップ適用取付セットまたは後付セット。
【請求項５】
前記周方向前方エッジは、前記組織クリップが径方向に支持されている前記組織クリップ保持部の部分の長手軸心に対して垂直に延出する平面に配設されている、請求項４に記載の組織クリップ適用取付セットまたは後付セット。
【請求項６】
前記中空チャンバが形成されている軸心方向領域は、前記アタッチメント長手軸心に対して屈曲されている、請求項４または５に記載の組織クリップ適用取付セットまたは後付セット。
【請求項７】
前記組織クリップが径方向に支持されている前記組織クリップ保持部の部分は、前記アタッチメント長手軸心に対して屈曲されている、請求項４から６のいずれか一項に記載の組織クリップ適用取付セットまたは後付セット。
【請求項８】
前記組織クリップが径方向に直接支持されている前記キャップアタッチメントの前記周面には、前記中空チャンバを外向きの前記周面と接続する前記組織クリップ保持部における径方向ボアに遠位側で隣接するとともに、前記組織クリップに向けて軸心方向に延出する長手溝が形成されている、請求項１から７のいずれか一項に記載の組織クリップ適用取付セットまたは後付セット。
【請求項９】
引き抜きリングを有する引き抜き手段であって、前記引き抜きリングは、外向きでかつ前記組織クリップの直近の前記周面上に軸心方向スライド可能に取り付けられるとともに、当該引き抜きリングに接続された引き糸を有し、前記引き糸は、前記長手溝において前記径方向ボアへと案内されるとともに、当該径方向ボアを貫通して前記中空チャンバに至り、かつ、そこから、患者の中空チャンバの外側に近位方向に案内されるように構成されている引き抜き手段、によって特徴付けられる請求項８に記載の組織クリップ適用取付セットまたは後付セット。
【請求項１０】
前記案内またはリード部材の少なくとも一つは、前記医療器具の一つがその中で長手方向に案内されることが可能なようにシュートまたはチャンネルを形成している、請求項１から９のいずれか一項に記載の組織クリップ適用取付セットまたは後付セット。
【国際調査報告】
2020523177.tif 000008
2020523177.tif 000009
2020523177.tif 000010
2020523177.tif 000011
2020523177.tif 000012